(57)【要約】【課題】撮影装置およびリモートコントローラの間で転送した画像データの記録、および記録消去操作を容易に行う。【解決手段】撮影者は、リモコン側ＬＣＤでスルー画像を確認しながら第２レリーズボタンをレリーズ操作すると、デジタルカメラで撮影が行われる。取得された本画像データは第１メモリカードに記録され、さらにリモコンに送信されて第２メモリカードに記録される。撮影画像の消去処理は、再生モードにて、第２メモリカードに記憶された本画像データに基づいて、不要な撮影画像をリモコン側ＬＣＤに表示させた状態で消去ボタンを押下する。これにより、撮影画像に対応する本画像データが第２メモリカード３６から消去され、かつデジタルカメラに消去信号とファイル名が送信される。デジタルカメラ２は、同じファイル名の本画像データを第１メモリカードから消去する。【選択図】図６
2008079233.tif 000002
【特許請求の範囲】
【請求項１】
レリーズ信号に応答して被写体画像を撮影する撮影手段、画像データを記憶する第１の記憶手段、これらを制御する第１の制御手段、及びこの制御手段による各種制御を実行させるための第１の操作部を備える撮影装置と、この撮影装置と無線通信手段を介してデータの授受を行い、前記撮影装置に対して所定の動作を行わせるための第２の操作部、前記無線通信手段を介して前記撮影装置から送信されるデータを記憶する第２の記憶手段、及びこれらを制御する第２の制御手段とを備えるリモートコントローラとからなる撮影システムにおいて、
前記レリーズ信号が入力された時、前記第１の制御手段は、前記撮影手段で取得した撮影画像データを前記第１の記憶手段に記憶させるとともに、前記無線通信手段を介して前記リモートコントローラに送信し、前記第２の制御手段は、受信した前記撮影画像データを前記第２の記憶手段に記憶させ、
前記第１の操作部によって消去指示が入力された時、前記第１の制御手段は、前記第１の記憶手段に記憶された前記撮影画像データの中から消去指示対象の前記撮影画像データを消去させるとともに、前記無線通信手段を介して前記消去指示をリモートコントローラに送信し、前記第２の制御手段は、受信した前記消去指示に基づいて前記消去指示対象と同じ撮影画像データを前記第２の記憶手段から消去することを特徴とする撮影システム。
【請求項２】
前記第２の操作部によって消去指示が入力された時、前記第２の制御手段は、前記第２の記憶手段に記憶された前記撮影画像データの中から消去指示対象の前記撮影画像データを消去させるとともに、前記無線通信手段を介して前記消去指示を前記撮影装置に送信し、前記第１の制御手段は、受信した前記消去指示に基づいて前記消去指示対象と同じ撮影画像データを前記第１の記憶手段から消去することを特徴とする請求項１記載の撮影システム。
【請求項３】
前記リモートコントローラは、前記撮影画像データに基づく再生画像を表示する表示手段を備えたことを特徴とする請求項１または２記載の撮影システム。
【請求項４】
前記撮影装置は、スルー画像を取得した際に前記無線通信手段を介してスルー画像データを前記リモートコントローラに送信し、前記リモートコントローラは前記表示手段にスルー画像を表示することを特徴とする請求項３記載の撮影システム。
【発明の詳細な説明】
【技術分野】
【０００１】
撮影装置と、この撮影装置を無線で遠隔操作するリモートコントローラとを備えた撮影システムに関するものである。
【背景技術】
【０００２】
撮影装置として、ＣＣＤイメージセンサなどの固体撮像素子で撮像した被写体光をデジタルの画像データに変換し、内蔵メモリやメモリカードなどの記憶媒体に記憶するデジタルカメラが普及している。このようなデジタルカメラの操作性を向上させるため、遠隔操作により撮影を行わせるリモートコントローラ（以下、リモコン）を備えたデジタルカメラが、例えば特許文献１に記載されている。
【０００３】
また、特許文献２には、リモコンに情報表示画面を設け、このリモコンに対してデジタルカメラから撮影完了情報、エラー情報、メモリ残容量、バッテリ残量、撮影可能な画像情報等の撮影状態情報を送信することで、情報表示画面で撮影状態情報を確認できるようにしたものも提供されている。さらにまた、特許文献３には、デジタルカメラの内部メモリに、撮像によって記録された主画像データとサムネイル画像データのうち、主画像データを外部情報蓄積装置に無線によって送信し、外部情報蓄積装置に記録された主画像データを内蔵メモリから消去するデジタルカメラが記載されている。
【特許文献１】特開２００５―１５９８８８号公報
【特許文献２】特開２００３―３３００８９号公報
【特許文献３】特開２００４−２４７９３６号公報
【発明の開示】
【発明が解決しようとする課題】
【０００４】
しかしながら、特許文献１に記載のリモコンでは、デジタルカメラに撮影を実行させるレリーズ信号を送信する機能しかなく、リモコンの操作地点からは撮影画像の構図や撮影した画像を確認することが出来ない。また、特許文献２に記載の撮影装置では、リモコンの情報表示画面で撮影状態情報を確認することができるが、リモコンの操作によって不要な撮影画像の消去、整理ができない。また、特許文献３に記載の撮像システムでは、撮影装置から外部情報蓄積装置への画像データの送信中に静電ノイズや通信ノイズが発生したり、画像データの転送中に装置の不具合が発生したりすると、画像データが損傷して再生不能となったり、画質が劣化してしまう。
【０００５】
本発明は上記課題を解決するためになされたものであり、本発明は、撮影装置及びリモートコントローラの間で転送した画像データを確実に記憶し、容易に記憶消去操作を行うことができる撮影システムを提供することを目的とする。
【課題を解決するための手段】
【０００６】
本発明の撮影システムは、レリーズ信号に応答して被写体画像を撮影する撮影手段、画像データを記憶する第１の記憶手段、これらを制御する第１の制御手段、及びこの制御手段による各種制御を実行させるための第１の操作部を備える撮影装置と、この撮影装置と無線通信手段を介してデータの授受を行い、前記撮影装置に対して所定の動作を行わせるための第２の操作部、前記無線通信手段を介して前記撮影装置から送信されるデータを記憶する第２の記憶手段、及びこれらを制御する第２の制御手段とを備えるリモートコントローラとからなる撮影システムにおいて、前記レリーズ信号が入力された時、前記第１の制御手段は、前記撮影手段で取得した撮影画像データを前記第１の記憶手段に記憶させるとともに、前記無線通信手段を介して前記リモートコントローラに送信し、前記第２の制御手段は、受信した前記撮影画像データを前記第２の記憶手段に記憶させ、前記第１の操作部によって消去指示が入力された時、前記第１の制御手段は、前記第１の記憶手段に記憶された前記撮影画像データの中から消去指示対象の前記撮影画像データを消去させるとともに、前記無線通信手段を介して前記消去指示をリモートコントローラに送信し、前記第２の制御手段は、受信した前記消去指示に基づいて前記消去指示対象と同じ撮影画像データを前記第２の記憶手段から消去することを特徴とするものである。
【０００７】
また、前記第２の操作部によって消去指示が入力された時、前記第２の制御手段は、前記第２の記憶手段に記憶された前記撮影画像データの中から消去指示対象の前記撮影画像データを消去させるとともに、前記無線通信手段を介して前記消去指示を前記撮影装置に送信し、前記第１の制御手段は、受信した前記消去指示に基づいて前記消去指示対象と同じ撮影画像データを前記第１の記憶手段から消去するようにしてもよい。
【０００８】
また、前記リモートコントローラは、前記画像データに基づく再生画像を表示する表示手段を備えてもよい。また、前記撮影装置は、スルー画像を取得した際に前記無線通信手段を介してスルー画像データを前記リモートコントローラに送信し、前記リモートコントローラは前記表示手段にスルー画像を表示することが好ましい。
【発明の効果】
【０００９】
本発明は、レリーズ信号が入力された時に、撮影装置の第１の記憶手段に撮影画像データを記憶するとともに、この撮影画像データを無線通信によってリモートコントローラに送信し、第２の記憶手段にも記憶したから、撮影画像データのバックアップを確実にすることができる。さらに、撮影画像データの送信中に撮影装置またはリモートコントローラのどちらか一方に不具合が生じても、他方に撮影画像データが残っているから記録された撮影画像データの品質が保証されている。よって、撮影画像データが損傷して再生不能となったり、画質が劣化することがない。また、撮影装置の第１の操作部によって消去指示が入力されたときには、第１の記憶手段および第２の記憶手段にそれぞれ記憶された同じ撮影画像データを容易に消去することができるので、操作性、利便性が向上した。
【００１０】
また、リモートコントローラの第２の操作部によって消去指示が入力されたときには、第１および第２の記憶手段にそれぞれ記憶された同じ撮影画像データを容易に消去することができるので、操作性及び利便性が向上した。
【００１１】
また、リモートコントローラは再生画像を表示する表示手段を備えたので、遠隔の撮影地点でも撮影画像の構図の確認や、取得した撮影画像の確認を行うことができる。よって、利便性が向上した。また、撮影装置によって取得されたスルー画像がリモートコントローラの表示手段に表示されるので、リモートコントローラによる撮影で失敗することを防止できる。また、遠隔操作時でも撮影チャンスを逃すことがない。
【発明を実施するための最良の形態】
【００１２】
図１に示すように、本発明の撮影システム１は、撮影装置であるデジタルカメラ２とリモートコントローラ３（以下、リモコン３）とから構成される。図１および図２において、デジタルカメラ２の前面には、撮影レンズ５、電源スイッチ６、ストロボ発光部７が設けられている。撮影レンズ５は沈胴式のレンズ鏡胴９に組み込まれている。電源スイッチ６は、カメラ本体２ａの一部とともにグリップ部を構成しており、撮影を行う際にはユーザに把持される。電源スイッチ６は、図１に示すオン位置と、電源スイッチ６を図中右方向にスライドさせさたオフ位置（撮影レンズ５を覆う位置）の間でスライド自在である。ストロボ発光部７は、被写体に向けてストロボ光を発光する。
【００１３】
また、デジタルカメラ２の上面には、レリーズ操作を行う第１レリーズボタン１０、および無線通信用のアンテナ１１が設けられており、側面には第１の記憶手段である第１メモリカード１２が着脱自在に装填されるメモリカードスロット１３が設けられている。
【００１４】
第１レリーズボタン１０は、２段階押しのスイッチとなっている。液晶表示器（ＬＣＤ）１６（図２参照）による被写体のフレーミングの後に、第１レリーズボタン１０を軽く半押しすると、自動露出調整（ＡＥ）、自動焦点調整（ＡＦ）などの各種撮影準備処理が施される。この半押しから第１レリーズボタン１０をさらもう１段下方へ押下するレリーズ操作が行われると、撮影準備処理が施された１画面分の撮像信号が画像データに変換された後、後述する画像処理および圧縮処理が施され、第１メモリカード１２に記録される。
【００１５】
図２に示すように、デジタルカメラ２の背面には、電子ビューファインダを構成するファインダ接眼窓１５、液晶表示器（ＬＣＤ）１６、および操作部１８が設けられている。
【００１６】
第１の操作部である操作部１８は、上記の第１レリーズボタン１０の他に、撮影レンズ５のズームレンズをワイド側、テレ側に変倍するズーム操作ボタン２０と、撮影画像を第１メモリカード１２及び後述する第２メモリカード３６に記録する撮影モード、第１メモリカード１２に記録済みの画像データを再生する再生モード、各種設定を行う設定モードなどのカメラの動作モードを切り替えるモード切替ボタン２１、各モードで割り当てられたメニューをＬＣＤ１６に表示させるメニューボタン２２、およびメニュー画面内でカーソルを移動させる十字キー２３、詳しくは後述するが、デジタルカメラ２に設けられた第１メモリカード１２およびリモコン３に設けられた第２メモリカード３６（図１参照）から記録済みの画像データを消去する消去ボタン２４から構成されている。
【００１７】
ＬＣＤ１６は、撮影モードにおいて、被写体のスルー画像をリアルタイムでスルー表示する画像ビューファインダとして機能し、再生モードにおいて、第１メモリカード１２に記録済みの撮影画像を再生表示する再生モニタとして機能する。また、設定モードでは、各種の設定画面が表示される。
【００１８】
また、リモコン３は、図１に示すように略矩形状をしており、デジタルカメラ２より小型に形成されている。リモコン３は、例えば、シャツなどの胸ポケットに入る程度の大きさであることが好ましい。リモコン３の上面には、デジタルカメラ２にレリーズ動作を行わせる第２レリーズボタン３１と、無線通信用のアンテナ３２が設けられている。第２レリーズボタン３１は、上記デジタルカメラ２の第１レリーズボタン１０と同じであり、２段階押しスイッチである。
【００１９】
また、前面には、デジタルカメラ２から送信されたスルー画像や、撮影画像を表示する表示手段であるリモコン側液晶表示器（リモコン側ＬＣＤ）３３と、リモコン側操作部３５が設けられている。また、一方の側面には、デジタルカメラ２から送信された画像データを記録する第２の記憶手段である第２メモリカード３６が着脱自在に挿入されるカードスロット３７が設けられている。
【００２０】
なお、第１メモリカード１２および第２メモリカード３６への画像データの格納形式や画像ファイルフォーマット等は、ＪＥＩＴＡ（社団法人電子情報技術産業協会）によって策定されたＤＣＦ（Design rule for Camera File system）規格やＥｘｉｆ規格によって規定されている。第１メモリカード１２および第２メモリカード３６には、ＤＣＦの仕様に従って画像フォルダが作成され、撮影された画像データはＥｘｉｆ規格の仕様に従った所定のファイル形式（例えば、ＪＰＥＧ形式など）の画像ファイルとして前記画像フォルダに格納される。Ｅｘｉｆ規格の画像ファイルには、画像データの他に、撮影日時やカメラの機種名などの付帯情報が記録される付帯情報が含まれる。
【００２１】
第２の操作部であるリモコン側操作部３５は、第２レリーズボタン３１、電源ボタン３９、ズーム操作ボタン４０、メニューボタン４１、モード切替ボタン４２、十字キー４３、消去ボタン４５で構成されている。電源ボタン３９が操作されると、リモコン３の各部に電力が供給され、リモコン側ＬＣＤ３３や無線Ｉ／Ｆ９３などが駆動される。リモコン側操作部３５の各操作ボタンが操作されると、デジタルカメラ２の操作部１８が操作された時と同じ制御信号が出力され、この制御信号はアンテナ１１、３２を介してデジタルカメラ２に送信され、デジタルカメラ２が遠隔操作される。
【００２２】
次に、デジタルカメラ２の電気的構成について図３を用いて説明する。撮影レンズ５には、レンズモータ５０が接続されている。また、絞り５１には、アイリスモータ５２が接続されている。これらのモータ５１、５２はステッピングモータからなり、ＣＰＵ５５に接続されたモータドライバ５６、５７から送信される駆動パルスにより動作制御され、第１レリーズボタン１０の半押しに伴う撮影準備処理を行う。
【００２３】
レンズモータ５１は、ズーム操作ボタン２０の操作に連動して、撮影レンズ５のズームレンズをワイド側、あるいはテレ側に移動させる。また、被写体距離やズームレンズの変倍に応じて撮影レンズ５のフォーカスレンズを移動させ、撮影条件が最適となるように焦点調整を行う。アイリスモータ５２は、絞り５１を動作させ、露出調整を行う。
【００２４】
撮影レンズ５の背後には、撮影レンズ５を透過した被写体光が撮像されるＣＣＤ６０が配置されている。撮影手段であるＣＣＤ６０には、ＣＰＵ５５によって制御されるタイミングジェネレータ（ＴＧ）６１が接続され、このＴＧ６１から入力されるタイミング信号により、電子シャッタのシャッタ速度が決定される。
【００２５】
ＣＣＤ６０から出力された撮像信号は、相関二重サンプリング回路（ＣＤＳ）６３に入力され、ＣＣＤ６０の各セルの蓄積電荷量に正確に対応したＲ、Ｇ、Ｂの画像データとして出力される。ＣＤＳ６３から出力された画像データは、増幅器（ＡＭＰ）６４で増幅され、Ａ／Ｄ変換器（Ａ／Ｄ）６７でデジタルの画像データに変換される。
【００２６】
画像入力コントローラ６８は、バス７０を介してＣＰＵ５５に接続され、ＣＰＵ５５の制御命令に応じてＣＣＤ６０、ＣＤＳ６３、ＡＭＰ６４、およびＡ／Ｄ６７を制御する。Ａ／Ｄ６７から出力された画像データは、ＳＤＲＡＭ７１に一旦格納される。
【００２７】
画像信号処理回路６９は、ＳＤＲＡＭ７１から画像データを読み出して、階調変換、ホワイトバランス補正、γ補正処理などの各種画像処理を施す。また、ＹＣ変換処理回路７２は、各種画像処理が施された画像データを輝度信号Ｙと色差信号Ｃｒ、Ｃｂとに変換する。
【００２８】
ＣＰＵ５５には、第１レリーズボタン１０が接続されている。第１レリーズボタン１０がレリーズ操作されるとＣＰＵ５５にレリーズ信号が入力され、ＣＰＵ５５はレリーズ信号に基づいて画像入力コントローラ６８を駆動させ、ＣＣＤ６０を制御して画像データを取得させる。
【００２９】
レリーズ操作が行われると、ＣＣＤ６０によって、スルー表示用のスルー画像よりも画素数の大きな本画像データ（撮影画像データ）が取得される。この本画像データに対しては、上記画像処理がなされるとともに、圧縮伸長処理回路７３によって所定の圧縮形式（例えば、ＪＰＥＧ形式）で圧縮処理される。圧縮処理が施された本画像データは、第１制御手段であるＣＰＵ５５の指示により、メディアコントローラ７５を介して第１メモリカード１２に記録される。さらに、圧縮処理された本画像データは、リモコン３の第２メモリカード３６にも記録させるため、無線Ｉ／Ｆ７７に出力される。
【００３０】
また、再生モードでは、第１メモリカード１２に記録された本画像データが一度ＳＤＲＡＭ７１に読み出され、圧縮伸張処理回路７３によって伸長処理が施された後、ＬＣＤドライバ７８に出力され、ＬＣＤ１６に再生表示される。
【００３１】
ＣＰＵ５５には消去ボタン２４が接続されている。消去ボタン２４は、第１メモリカード１２および第２メモリカード３６（図１参照）に記録された本画像データを消去する消去処理を行う際に操作される。再生モードにて、ＬＣＤ１６に第１メモリカード１２に記録済みの撮影画像が表示される。そして、不要な撮影画像を表示させた状態で消去ボタン２４を押下すると、ＣＰＵ５５に消去信号（消去指示）が入力される。ＣＰＵ５５は消去信号に基づいて、ＬＣＤ１６に表示されている撮影画像の本画像データを第１メモリカード１２から判別し、消去する。さらに、ＣＰＵ５５は、消去信号と第１メモリカード１２から消去した本画像データのファイル名（消去指示対象）を無線Ｉ／Ｆ７７に出力する。これにより、リモコン３でも消去処理が行われる。
【００３２】
ＣＰＵ５５には、ＥＥＰＲＯＭ８０が接続されている。ＥＥＰＲＯＭ８０には、各種制御用のプログラムや設定情報などが記録されている。ＣＰＵ５５は、これらの情報をＥＥＰＲＯＭ８０から作業用メモリであるＳＤＲＡＭ７１に読み出して、各種処理を実行する。
【００３３】
バス７０には、露出量、すなわち電子シャッタのシャッタ速度、および絞り５１の絞り値が撮影に適切か否かを検出するとともに、ホワイトバランスが撮影に適切か否かを検出するＡＥ／ＡＷＢ検出回路８０と、撮影レンズ１０の焦点調整が撮影に適切か否かを検出するＡＦ検出回路８１と、ストロボ装置８２の動作を制御するストロボ制御回路８３と、アンテナ１１を介して、リモコン３との画像データ及び各種制御信号の送受信を行う無線Ｉ／Ｆ７７とが接続されている。
【００３４】
ＡＥ／ＡＷＢ、ＡＦ検出回路８０，８１は、第１レリーズボタン１０および後述する第２レリーズボタン３１の半押し時に、バス７０を介してＣＰＵ５５に検出結果を逐次入力する。ＣＰＵ５５は、これらの検出回路８０、８１から入力される検出結果に基づいて、撮影レンズ１０、絞り５１、およびＣＣＤ６０の動作を制御する。
【００３５】
無線Ｉ／Ｆ７７には、アンテナ１１が接続されている。スルー画像のスルー画像データ、レリーズ操作により撮影された本画像データ、および消去ボタン２４の操作により出力された消去信号などは、無線Ｉ／Ｆ７７によって無線送信用のデータに変換され、アンテナ１１を介してデジタルカメラ２からリモコン３に送信される。また、このアンテナ１６は、リモコン３から送信された各種制御信号を受信する。受信した制御信号は無線Ｉ／Ｆ７７を介してＣＰＵ５５に入力される。ＣＰＵ５５は、制御信号に基づいてデジタルカメラ２の動作を制御する。また、無線Ｉ／Ｆ７７は、例えば、無線ＬＡＮ（IEEE802.11b）規格に対応するものであり、アンテナ１１は２．４ＧＨｚの周波数帯域でデータを送受信する。
【００３６】
次に、リモコン３の電気的構成を示す図４において、第２の制御手段であるリモコン側ＣＰＵ９０はリモコン３の各部を制御する。リモコン側ＣＰＵ９０には、ＲＯＭ９１およびＲＡＭ９２が設けられており、ＲＯＭ９１はリモコン３を動作させる各種プログラムやデータが記憶されている。ＲＡＭ９２はリモコン側ＣＰＵ９０が各種処理を行う際の作業用メモリである。
【００３７】
リモコン側ＣＰＵ９０には、リモコン側操作部３５、無線Ｉ／Ｆ９３、圧縮伸長処理回路９４、ＬＣＤドライバ９５、メディアコントローラ９６が接続されている。無線Ｉ／Ｆ９３には、アンテナ３２が接続されている。このアンテナ３２は、デジタルカメラ２からスルー画像データ、本画像データや消去信号などを受信し、リモコン側操作部３５から出力されるレリーズ信号、消去信号など各種制御信号をデジタルカメラ２に送信する。なお、無線通信手段としては、デジタルカメラ２に設けられたアンテナ１１と無線Ｉ／Ｆ７７、およびリモコン３に設けられたアンテナ３２と無線Ｉ／Ｆ９３で構成されている。また、無線通信手段としては、無線ＬＡＮ（IEEE802.11b）規格に対応するものを用いたが、これに限らず、例えば、Bluetooth（IEEE802.15.1）規格に対応するものやレーザー方式、赤外線方式など他の無線通信規格に対応するものを用いてもよい。
【００３８】
第２レリーズボタン３１は、撮影者によってスルー画像を確認しながら半押しが行われると、リモコン側ＣＰＵ９０に撮影準備信号が入力され、リモコン側ＣＰＵ９０はアンテナ１１、３２を介して撮影準備信号をデジタルカメラ２に送信する。デジタルカメラ２は、リモコン３からの撮影準備信号に基づいてＡＥ調整、ＡＦ調整などの各種撮影準備処理を行う。そして、第２レリーズボタン３１がレリーズ操作されると、リモコン側ＣＰＵ９０はアンテナ１１、３２を介してデジタルカメラ２にレリーズ信号を送信する。デジタルカメラ２はレリーズ信号に基づいて撮影を行い、本画像データを第１メモリカード１２に記録するとともに、アンテナ１１、３２を介して本画像データをリモコン３に送信する。
【００３９】
圧縮伸長回路９４は、アンテナ１１，３２を介してデジタルカメラ２から送信されたスルー画像データ、および本画像データを伸長処理し、ＬＣＤドライバ９５に出力する。ＬＣＤドライバ９５は、伸長処理されたスルー画像データや本画像データに基づいて、リモコン側ＬＣＤ３３にスルー画像や撮影画像を表示させる。
【００４０】
リモコン３が本画像データを受信すると、第２の制御手段であるリモコン側ＣＰＵ９０はメディアコントローラ９６を介して第２メモリカード３６に本画像データを記録させる。また、デジタルカメラ２の第１レリーズボタン１０がレリーズ操作された場合は、前述のようにデジタルカメラ２は本画像データを第１メモリカード１２に記録するとともに、本画像データをリモコン３に送信する。リモコン側ＣＰＵ９０は、メディアコントローラ９６を介して第２メモリカード３６に本画像データを記録させる。
【００４１】
消去ボタン４５は、不要な撮影画像を第１メモリカード１２および第２メモリカード３６から消去する際に押下される。リモコン側ＬＣＤ３３に不要な撮影画像を表示した状態で消去ボタン４５が押下されると、リモコン側ＣＰＵ９０に消去信号が出力される。リモコン側ＣＰＵ９０は、消去信号に応答して表示された撮影画像に対応する本画像データを第２メモリカード３６から判別し、消去する。さらに、リモコン側ＣＰＵ９０はアンテナ１１、３２を介して消去信号と、消去した本画像データのファイル名をデジタルカメラ２に送信する。
【００４２】
デジタルカメラ２のＣＰＵ５５は、消去信号とファイル名に基づいて第１メモリカード１２から同じファイル名の本画像データを判別し、消去する。また、デジタルカメラ２に設けられた消去ボタン２４が押下された場合も、アンテナ１１、３２を介してデジタルカメラ２からリモコン３に消去信号とファイル名が送信される。リモコン側ＣＰＵ９０は、受信した消去信号とファイル名に基づいて第２メモリカード３６から同じファイル名の本画像データを判別し、消去する。
【００４３】
上記構成による作用について説明する。撮影者は、デジタルカメラ２と一緒にリモコン３を携帯する。リモコン３は、デジタルカメラ１より小型なのでポケットや鞄に入れて携帯することが容易である。図５のフローチャートに示すように、デジタルカメラ２及びリモコン３の電源をオンにする。そして、カメラ側のモード切替ボタン２１で撮影モードを選択し、メニューボタン２２でリモコン撮影を設定する。そして、撮影者は、デジタルカメラ２を三脚などに固定し、撮影レンズ５を被写体側に向けて撮影地点に移動する。なお、撮影モードの選択およびリモコン撮影の選択は、リモコン３に設けられたモード切替ボタン４１、メニューボタン４２を操作してもよい。
【００４４】
リモコン撮影が設定されると、撮影範囲のスルー画像データがデジタルカメラ２からリモコン３に送信され、リモコン側ＬＣＤ３３にはスルー画像がスルー表示される。このリモコン撮影では、リモコン３からの各種制御信号がアンテナ１１、３２を介してデジタルカメラ２に送信され、デジタルカメラ３は受信した制御信号に基づいて駆動される。
【００４５】
撮影者はリモコン側ＬＣＤ３３にスルー表示されるスルー画像で構図を確認してから、第２レリーズボタン３１でレリーズ操作を行う。これにより、リモコン３からデジタルカメラ２にレリーズ信号が送信され、このレリーズ信号に基づいてデジタルカメラ２は撮影を行う。これにより、撮影で取得された本画像データが第１メモリカード１２に記録されるとともに、この本画像データがリモコン３に送信され、第２メモリカード３６にも記録される。このように、ユーザはリモコン側ＬＣＤ３３に表示されたスルー画像を確認しながら撮影の構図を決定することができるので、撮影に失敗することを防止できる。また、撮影を行うと、デジタルカメラ２に設けられた第１メモリカード１２とリモコン３に設けられた第２メモリカード３６に同じ本画像データが記録されるので、本画像データのバックアップを確実に行うことができるとともに、転送中にデジタルカメラ２、リモコン３の一方に不具合が生じても他方に本画像データが残っているから、記録された本画像データの品質が保証され、またデジタルカメラ２およびリモコン３に記録された本画像データの整合性をとることができる。
【００４６】
また、リモコン撮影を選択せず、通常撮影を行う場合は、リモコン３をポケットや鞄に入れておき、撮影者はデジタルカメラ２のＬＣＤ１６にスルー表示されるスルー画像を確認しながら構図を決定する。構図を決定したら、第１レリーズボタン１０を用いてレリーズ操作を行う。第１レリーズボタン１０でレリーズ操作がなされると、撮影で取得された本画像データが第１メモリカード１２に記録されるとともに、リモコン３に本画像データが送信され、第２メモリカード３６にも記録される。このように、通常撮影を行った場合でも、第１メモリカード１２と第２メモリカード３６に同じ本画像データが記録されるので、本画像データのバックアップは確実に行われ、記録された本画像データの品質が保証される。
【００４７】
また、図６に示すように、カメラ側のモード切替ボタン２１によって再生モードが選択された場合、第１メモリカード１２に記録された本画像データが読み出され、この本画像データに基づいてＬＣＤ１６に撮影画像（再生画像）が表示される。この時、十字キー２３の操作により、第１メモリカード１２に記録済みの撮影画像がＬＣＤ１６に順番に表示される。
【００４８】
また、リモコン側のモード切替ボタン４１によって再生モードが選択された場合も同様に、第２メモリカード３６に記録済みの本画像データが読み出され、この本画像データに基づいてリモコン側ＬＣＤ３３に撮影画像が表示される。この時も、十字キー４３の操作により、第２メモリカード３６に記録済みの撮影画像がリモコン側ＬＣＤ３３に順番に表示される。よって、デジタルカメラ２から離れた場所にいても撮影画像を確認することができる。
【００４９】
そして、デジタルカメラ２の操作部１８を操作して、第１メモリカード１２及び第２メモリカード３６に記録済みの本画像データを消去する消去処理を行う場合は、第１メモリカード１２に記録済みの本画像データをＬＣＤ１６に表示させ、十字キー２３を操作して不要な撮影画像（消去したい撮影画像）をＬＣＤ１６に表示させる。そして、不要な撮影画像を表示させたままの状態で消去ボタン２４を押下する。これにより、表示された撮影画像に対応する本画像データが第１メモリカード１２から判別され、消去される。さらに、デジタルカメラ２からリモコン３に、消去信号と消去した本画像データのファイル名が送信される。リモコン側ＣＰＵ９０は、受信した消去信号およびファイル名に基づいて第２メモリカード３６から同じファイル名の本画像データを判別し、消去する。
【００５０】
また、リモコン側操作部３５を操作して消去処理を行う場合は、リモコン側ＬＣＤ３３に第２メモリカード３６に記録された本画像データに基づいて撮影画像を表示させ、十字キー４３で不要な撮影画像をリモコン側ＬＣＤ３３に表示させる。そして、不要な撮影画像を表示させたままの状態で消去ボタン４５を押下する。これにより、表示された撮影画像に対応する本画像データが第２メモリカード３６から判別され、消去される。さらに、リモコン３からデジタルカメラ２に、消去信号と消去した本画像データのファイル名が送信される。デジタルカメラ２のＣＰＵ５５は、消去信号及びファイル名に基づいて第１メモリカード１２から同じファイル名の本画像データを判別し、消去する。このように、デジタルカメラ２またはリモコン３に設けられたどちらか一方の消去ボタン２４、４５を押下することで、第１メモリカード１２および第２メモリカード３６に記録済みの同じ本画像データが一緒に消去されるので、作業性が向上した。これにより、第１メモリカード１２および第２メモリカード３６に記録済みの本画像データの整理を容易に行うことができる。
【００５１】
なお、本実施形態では、撮影モードで静止画を撮影した場合を説明したが、動画撮影を行った場合も同様である。この場合は、デジタルカメラ２及びリモコン３にＭＰＥＧ処理回路、オーディオ処理回路、マイクロフォン、スピーカを設けることが好ましい（図示せず）。
【００５２】
マイクロフォンは、動画モードで撮影が行われる際に音声を取得する。オーディオ処理回路は、マイクロフォンから取得された音声をデジタルの音声データに変換処理する。変換処理された音声データは、ＭＰＥＧ処理回路に出力される。
【００５３】
ＭＰＥＧ処理回路は、前述の画像処理回路６９などで各種画像処理が行われた動画像データとオーディオ処理回路によって変換された音声データに対してＭＰＥＧ２形式で圧縮処理を施す。圧縮処理された動画像データおよび音声データはメディアコントローラ５８を介して第１メモリカード１２に記録されるとともに、アンテナ１１、３２からリモコン３に送信され、第２メモリカード３６にも記録される。
【００５４】
また、第１メモリカード１２および第２メモリカード３６に記録された動画像データが再生される際には、圧縮された動画像データおよび音声データがＭＰＥＧ処理回路によって伸長処理が行われる。伸長処理が行われた動画像データはＬＣＤドライバ７８に出力され、ＬＣＤ１６に表示される。スピーカは、伸長処理された音声データに基づいて音声を出力する。
【００５５】
第１メモリカード１２及び第２メモリカード３６に記録された動画像データの消去処理は、静止画の本画像データと同様に、ＬＣＤ１６またはリモコン側ＬＣＤ３３に消去したい動画像を再生表示させた状態でデジタルカメラ２またはリモコンの消去ボタンを押下する。これにより、第１メモリカード１２と第２メモリカード３６に記録されている動作画像データおよび音声データが消去される。
【００５６】
なお、上記実施形態では、第１の記憶手段として第１メモリカード１２と、第２の記憶手段として第２メモリカード３６を設けたが、これに代えて、ＨＤＤ（Hard Disk Drive）などの記憶手段を設け、撮影された本画像データを記憶させてもよい。
【００５７】
また、本実施形態では、本画像データを１つずつ消去しているが、これに限らず、第１メモリカード１２及び第２メモリカード３６に記録されている全ての本画像データ、または複数の本画像データを選択し、デジタルカメラ２またはリモコン３の消去ボタンの押下操作で一括消去してもよい。
【００５８】
なお、第１メモリカード１２と第２メモリカード３６に記録されている同じ本画像データを判別するのに、ファイル名を用いたが、付帯情報の撮影日時などから判別してもよい。
【図面の簡単な説明】
【００５９】
【図１】本発明の撮影システムの構成を示す前面斜視図である。
【図２】デジタルカメラの背面の構成を示す背面斜視図である。
【図３】デジタルカメラの電気的構成を示すブロック図である。
【図４】リモートコントローラの電気的構成を示すブロック図である。
【図５】本発明の撮影システムで撮影を行う流れを示すフローチャートである。
【図６】本発明の撮影システムで本画像データを消去する流れを示すフローチャートである。
【符号の説明】
【００６０】
１  撮影システム
２  デジタルカメラ
３  リモートコントローラ
１１、３２  アンテナ
１２  第１メモリカード
１８  操作部
２４、４５  消去ボタン
３３  リモコン側ＬＣＤ
３５  リモコン側操作部
３６  第２メモリカード
５５  ＣＰＵ
９０  リモコン側ＣＰＵ
【図１】
2008079233.tif 000003
【図２】
2008079233.tif 000004
【図３】
2008079233.tif 000005
【図４】
2008079233.tif 000006
【図５】
2008079233.tif 000007
【図６】
2008079233.tif 000008